(57)【要約】【課題】高速での払い出しが可能であると同時に球噛みを起こすことなく、しかも、遊技球の正確な払い出しもでき、余剰切りのない遊技機の球払出装置を提供する。【解決手段】遊技球Ｂが一列に流下する球通路１１と、通過する遊技球の球検出範囲が設定されその球検出状態となる位置ａと球非検出状態となる位置ｂとを検出する球検出器１３と、球検出器の下方に配置され、球検出状態と球非検出状態との間に位置する遊技球の検出に伴い電動アクチュエータ１７により球通路内に移動して規定量の遊技球のうちの最後の遊技球とその次の規定量外の遊技球との間に介入し、規定量外の遊技球を受け止める球受部材１５と、を有し、規定量外の遊技球が球受部材により受け止められたとき、その位置はその遊技球の球中心を通り球受部材の移動方向と直交する面内で球中心Ｏ２からずれかつ該遊技球による球受部材に加わる球圧の方向と該球受部材の移動方向とは前記面内で互いに直交している。【選択図】図２
2013102821.tif 000002
【特許請求の範囲】
【請求項１】
上下方向に設けられ遊技球が一列に流下する球通路と、
前記球通路に配置され、通過する遊技球の球検出範囲が設定されその球検出状態となる位置と球非検出状態となる位置とを検出する球検出器と、
前記球検出器の下方に配置され、前記球検出状態と球非検出状態との間に位置する遊技球の検出に伴い電動アクチュエータにより前記球通路内に移動して払い出される規定量の遊技球のうちの最後の遊技球とその次の規定量外の最先の遊技球との間に介入し、前記規定量外の最先の遊技球を受け止める球受部材と、を有し、
前記規定量外の最先の遊技球が前記球受部材により受け止められたとき、その受け止められた位置はその遊技球の球中心を通り前記球受部材の移動方向と直交する面内で球中心からずれかつ該遊技球による前記球受部材に加わる球圧の方向と該球受部材の移動方向とは前記面内で互いに直交するようになっており、前記規定量の遊技球は前記球受部材により受け止められず自然に落下して払い出されることを特徴とする遊技球の球払出装置。
【発明の詳細な説明】
【技術分野】
【０００１】
本発明は、遊技機の裏側に装着され入賞球に合った規定量の遊技球を払い出す遊技機の球払出装置に関するものである。
【背景技術】
【０００２】
従来、遊技機の一種であるパチンコ遊技機は、上下に長い外枠に装着された内枠に遊技盤が配設されると共に、該内枠の裏側に遊技盤の裏面を覆うようにして合成樹脂製の機構板が開閉自在に装着されている。該機構板の裏面には、その上部一側に遊技球を貯留する球タンクが配設されると共にその下方に該球タンクから排出されるパチンコ球を他側へ誘導するタンクレールが設けられ、該タンクレールの終端にカーブレールを介して球流通樋が接続されている。そして、該球流通樋の下端に球払出装置が接続されている。また、球流通樋を流下する遊技球が、球払出装置に供給されるようになっている。通常、球払出装置が作動していないときは、該球払出装置内の最先の遊技球は停止している。そこで、例えば入賞球が発生して中央制御装置から規定量の遊技球を払い出すようにという指令が発せられると、球払出装置が作動して該球払出装置から規定量の遊技球が払い出される。これら払い出された遊技球は、パチンコ遊技機の表面に装着される球受皿に貯留される。貯留された遊技球は、打球発射位置に一個ずつ供給され前記遊技盤面に形成される遊技部に打ち込まれるようになっている。
【０００３】
ところで、前記球払出装置として例えば次のような構成からなるものがある。すなわち、該球払出装置は、装置本体内に遊技球が流下する上下方向の球通路が形成され、その一側に近接させて外周縁に遊技球が受けられる複数の球受凹部を列設した球受部材としてのスプロケットが鉛直面内で自在に回転するように軸装されている。また、その近傍には係合して該スプロケットの回転を制御する制御部材が配置されている。そして、制御部材を作動させ係合を解除してスプロケットを所要回転数回転させることにより、規定量の遊技球が払い出される。これら払い出された遊技球は、球検出器により検出されるようになっている（例えば、特許文献１参照。）。
【先行技術文献】
【特許文献】
【０００４】
【特許文献１】特開平６−３１２０５５号公報（第３−６頁、図２）
【発明の概要】
【発明が解決しようとする課題】
【０００５】
しかしながら、前記特許文献１に係る球払出装置にあっては、球通路を含む面内でスプロケットが回転し、該スプロケットの外周縁に沿って複数の球受凹部が列設される関係から、隣接する球受凹部間には先端山形の突起部が形成される。このように山形の突起部が複数個形成されていると、スプロケットを回転させて遊技球を払い出しているときに、遊技球の流下速度とスプロケットの回転速度とがずれて食い違うことがある。このように、遊技球の流下速度とスプロケットの回転速度とがずれると、スプロケットにおける前記先端山形の突起部と球通路の内壁面との間で遊技球が噛んでしまい、遊技球の払出動作が続行できなくなるといったいわゆる球噛み現象の起きることが有った。
【０００６】
また、スプロケットはその外周縁の球受凹部に遊技球を受け入れながらその遊技球の流れに沿って自在に回転することから、仮に一度に多くの遊技球を払い出す場合などスプロケットが高速で回転すると、該スプロケットの所定の停止位置が狂うことが有る。このように停止位置が狂うと、スプロケットが停止した後に該スプロケットが球圧に押されて余分に回転し、誤って規定量以上の遊技球を払い出してしまい、中央コンピュータ上での遊技球の数が一致しなくなって、遊技球の管理が難しくなるという課題が有った。
【０００７】
そこで、本発明は上記課題を解決すべくなされたもので、高速での払い出しが可能であると同時に球噛みを起こすことなく、しかも、遊技球の正確な払い出しもでき、規定量以上に過剰に払い出すといったことのない遊技機の球払出装置を提供することを目的とするものである。
【課題を解決するための手段】
【０００８】
かかる目的を達成するため本発明に係る遊技機の球払出装置は、上下方向に設けられ遊技球が一列に流下する球通路と、前記球通路に配置され、通過する遊技球の球検出範囲が設定されその球検出状態となる位置と球非検出状態となる位置とを検出する球検出器と、前記球検出器の下方に配置され、前記球検出状態と球非検出状態との間に位置する遊技球の検出に伴い電動アクチュエータにより前記球通路内に移動して払い出される規定量の遊技球のうちの最後の遊技球とその次の規定量外の最先の遊技球との間に介入し、前記規定量外の最先の遊技球を受け止める球受部材と、を有し、前記規定量外の最先の遊技球が前記球受部材により受け止められたとき、その受け止められた位置はその遊技球の球中心を通り前記球受部材の移動方向と直交する面内で球中心からずれかつ該遊技球による前記球受部材に加わる球圧の方向と該球受部材の移動方向とは前記面内で互いに直交するようになっており、前記規定量の遊技球は前記球受部材により受け止められず自然に落下して払い出されることを特徴とする。
【発明の効果】
【０００９】
本発明に係る遊技機の球払出装置は、上下方向に設けられ遊技球が一列に流下する球通路と、該球通路に配置され、通過する遊技球の球検出範囲が設定されその球検出状態となる位置と球非検出状態となる位置とを検出する球検出器と、球検出器の下方に配置され、球検出状態と球非検出状態との間に位置する遊技球の検出に伴い電動アクチュエータにより球通路内に移動して払い出される規定量の遊技球のうちの最後の遊技球とその次の規定量外の最先の遊技球との間に介入し、規定量外の最先の遊技球を受け止める球受部材と、を有し、規定量外の最先の遊技球が球受部材により受け止められたとき、その受け止められた位置はその遊技球の球中心を通り球受部材の移動方向と直交する面内で球中心からずれかつ該遊技球による球受部材に加わる球圧の方向と該球受部材の移動方向とはその面内で互いに直交し、規定量の遊技球は球受部材により受け止められず自然に落下して払い出される。このように、規定量の遊技球を自然に落下させて払い出すようにしているので、高速の払い出しが可能になる。
【００１０】
また、規定量外の最先の遊技球が球受部材により受け止められたとき、その受け止められた位置はその遊技球の球中心を通り球受部材の移動方向と直交する面内で球中心からずれかつ該遊技球による球受部材に加わる球圧の方向と該球受部材の移動方向とは前記面内で互いに直交するようになっていることから、球受部材は必ず上下方向で受け止められた遊技球の球中心からずれた下方位置で接触して該遊技球を受け止めることになり、これにより球噛みが防止される。更に、球圧によって球受部材が必要もなく回転することもないので、球圧により球受部材が必要もなく回転し誤って規定量以上に遊技球を払い出すという誤動作がないという効果もある。
【図面の簡単な説明】
【００１１】
【図１】本発明に係る球払出装置の斜視図。
【図２】同分解斜視図。
【図３】同拡大中央縦断面図。
【図４】（イ）〜（ニ）は作用を示す球払出装置の正面断面図。
【図５】（イ）は球受部材の作用説明図、（ロ）は球受部材の動作状態を示す縦断面図。
【図６】球流通樋の分解斜視図。
【図７】同正面図。
【図８】図７のＸ−Ｘ線拡大断面図。
【図９】球流通樋の一部拡大正面断面図。
【図１０】本発明が適用されるパチンコ遊技機の裏面図。
【発明を実施するための形態】
【００１２】
以下、本発明に係る遊技機の球払出装置の最良の実施の形態を図面に基き詳しく説明する。本発明に係る球払出装置は、パチンコ遊技機、アレパチ機、雀球遊技機などの遊技機に適用されるが、本発明にあってはそのうちパチンコ遊技機に適用される場合について説明する。まず、本発明が適用されるパチンコ遊技機について説明する。
【００１３】
図１０は、本発明が適用されるパチンコ遊技機の裏面図である。パチンコ遊技機Ｐは正面縦長長方形状の外枠１００に内枠１０１が開閉自在に装着され、該内枠１０１に遊技盤１０２が配設されている。また、前記内枠１０１の裏面に、遊技盤１０２の裏面を覆う合成樹脂製の機構板１０３が開閉自在に装着されている。該機構板１０３の裏面には、その上部の一側に遊技球であるパチンコ球を貯留しておく球タンク１０４が配置されている。また、球タンク１０４の下方に該球タンク１０４から排出されるパチンコ球を下方へ誘導するタンクレール１０５が配設され、該タンクレール１０５の流下端にカーブレール１０６を介して上下方向に設けられた球流通樋１０７が配置されている。そして、該球流通樋１０７の流下端に、本発明に係る球払出装置１０８が配設されている。
【００１４】
そこで、例えば遊技中に入賞球が発生した場合、該球払出装置１０８から規定量のパチンコ球が賞球として払い出されることになるが、これらパチンコ球は前記内枠１０１の前側に誘導されてパチンコ遊技機Ｐ表面の図示しない球受皿に貯留されることになる。
【００１５】
ここで、先に球流通樋１０７について説明する。該球流通樋１０７は、流通管１からなる。該流通管１は上端がカーブレール１０６に接続され、下端が球払出装置１０８に接続されており、ほぼ鉛直に起立している。流通管１の長さは、球払出装置１０８から少なくとも上方へ約１２０ｍｍ以上あれば良い。流通管１は、図６乃至図８に示すように円筒状に形成されると共に両端が開放されている。また、該流通管１はその中心軸線に沿って二分割される一対の半割筒体２，２からなり、各半割筒体２の中心軸線と平行な両側縁に互いに対向位置して外側へ広がる取付片３，３が設けられている。これら取付片３，３には、その長手方向に沿って複数の取付孔４が開設され、両半割筒体２，２を開放面を互いに向かい合わせ、両取付片３，３の互いに連通する取付孔４，４にビス５，５を挿通すると共にナット６，６を螺締めして流通管１が組立てられるようになっている。
【００１６】
前記流通管１における管通路７の内径は、パチンコ球Ｂが一個通過できる程度の寸法、例えば１２〜１３ｍｍの間で設定される。そして、管通路７の内周面７ａに所定のピッチで螺旋突条８が周設されている。この螺旋突条８は、前記内周面７ａから例えば０．５ｍｍの高さで突設ている。これにより、流通管１の管通路７内のパチンコ球Ｂは螺旋突条８に支持され該螺旋突条８に沿って回転しつつ流下することになる。なお、螺旋突条８のピッチの幅を狭くすると、管通路７内を流下するパチンコ球Ｂの流下速度が遅くなり、ピッチの幅を広くすると、パチンコ球の流下速度が速くなる。よって、払い出すパチンコ球Ｂの速度を勘案して適正なピッチが設定される。
【００１７】
流通管１には、両半割筒体２，２ごとに両取付片３，３に沿ってかつ前記螺旋突条８に沿って複数のゴミ排出口９が列設されている。一方の取付片３に沿って列設されるゴミ排出口９と他方の取付片３に沿って列設されるゴミ排出口９とは、段違いになるように設けられている。これらゴミ排出口９は、流通管１の管通路７内に溜まるゴミを排出するためのものである。このように、螺旋突条８に沿ってパチンコ球Ｂが回転しながら流下し、いずれのゴミ排出口９も螺旋突条８に沿って設けられるので、ゴミが管通路７内に溜まり難く、流通管１内が綺麗になるばかりかパチンコ球Ｂの汚れも軽減できる。
【００１８】
流路管１の管通路７内を流下するパチンコ球Ｂは、螺旋突条８のピッチに制御されて流下するので、上下のパチンコ球Ｂ，Ｂ間に隙間ができにくく、管通路７内を流下するパチンコ球Ｂの流下速度はほぼ一定となる。よって、球払出装置１０８にパチンコ球Ｂがスムーズに供給されて安定し、球払出装置１０８にて球噛みの生ずるおそれもない。また、球流通樋１０７の流通管１は、真直ぐに起立するばかりか流通管１の内径はパチンコ球Ｂの外径よりもやや大きい程度にすぎないことから、球流通樋７は広いスペースを採らない。よって、球流通樋１０７の設置スペースが小さくて済む。
【００１９】
更にまた、球流通樋１０７は流通管１が円筒状に形成されると共にその中心軸線に沿って二分割され、各分割端縁にはそれぞれ対向位置して互いに連結するための取付片３，３が設けられているという構成であって、その構造が簡単であり、製作が容易に行なえる。
【００２０】
次に、図１乃至図５に基づき本発明に係る球払出装置について説明する。図１は本発明に係る球払出装置の斜視図、図２は同分解斜視図、図３は同拡大中央縦断面図、図４（イ）〜（ニ）は作用を示す球払出装置の正面断面図、図５（イ）は球受部材の作用説明図、同図（ロ）は球受部材の動作状態を示す縦断面図である。球払出装置１０８は、合成樹脂材からなる中空直方体形状のケース本体１０から形成される。該ケース本体１０は、ほぼ中央で縦方向に切断して左右に二分割され、正面から見て右側の右半割体１０ａと、正面から見て左側の左半割体１０ｂと、から構成される。そして、右半割体１０ａと左半割体１０ｂとを合わせることにより、その中央の前側に上下方向に設けられ上端に球入口１２ａ、下端に球出口１２ｂが開設された球通路１１が形成されている。
【００２１】
前記球通路１１は、上半分１１ａが真直ぐになっており、下半分１１ｂが少し前側へ湾曲している。球通路１１の上端部に球検出器１３が配設され、その下方であって球通路１１の後側に空洞部１４が形成されている。そして、該空洞部１４に球通路１１と向き合い鉛直面内で自在に回転する球受部材１５が配置されている。該球受部材１５は、軸筒部１５ａの前側に該軸筒部１５ａの中心軸線に対して直交する回転円板１５ｂが一体に設けられている。また、図５に示すように該回転円板１５ｂの前面がその回転中心Ｏ１から放射状に延びる複数の法線ｈにより６等分され、その一個おきの領域の外周縁に沿ってそれぞれ前記回転中心Ｏ１を中心とする円弧状に湾曲した球受部としての球受片１６ａ〜１６ｃが前方へ突設されている。各球受片１６ａ〜１６ｃ間の間隔ｗは、パチンコ球Ｂが通過できる範囲で設定される。
【００２２】
ケース本体１０の後面に電動アクチュエータとしてのステッピングモータ１７が配置され、その水平な駆動軸１８の前端側に前記球受部材１５の軸筒部１５ａが嵌着固定されている。これにより、ステッピングモータ１７の回転に伴い球受部材１５が回転する。この場合、球受部材１５が必要時に６０度の回転角度をもって回転することになる。
【００２３】
更に詳しく説明すると、球受部材１５は球通路１１に対しその回転面が前側を向いて対向位置している。そして、球受部材１５の回転円板１５ｂが球通路１１から少し後方へずれ、上端に位置する球受片１６ａ〜１６ｃがそれぞれ回転円板１５ｂの回転と共に球通路１１の両側に開設された切欠部１９，１９を介して該球通路１１内に介入し得るようになっている。例えば、回転円板１５ｂの上端に一番目の球受片１６ａが位置するとき、反時計回り方向で二番目の球受片１６ｂと三番目の球受片１６ｃとは球通路１１の外側下方であってその両側に位置する。一番目の球受片１６ａが球通路１１の上半部１１ａ内に位置しているときは、その先端と対向する球通路１１の内周面との間隔はパチンコ球Ｂの直径より短く半径より長い寸法に設定されている。
【００２４】
よって、一番目の球受片１６ａにより球通路１１内に流入するパチンコ球Ｂを受け止めたとき、球受片１６ａの先端位置Ｆはそのパチンコ球Ｂの球中心Ｏ２を通り球受部材１５の移動方向である回転方向と直交する面内で球中心Ｏ２から後方へずれている。また、そのパチンコ球Ｂによる球受部材１５に加わる球圧の方向と該球受部材１５の回転方向とは前記面内で互いに直交するようになっており、その球圧は球受部材１５を回転し得る方向には働かない。よって、該パチンコ球Ｂの球圧により球受部材１５が必要もなく回転することはない。換言すれば、パチンコ球Ｂの球圧によって球受部材１５を回転させる力は生じない。
【００２５】
前記球検出器１３は近接スイッチが使用され、図５（ロ）想像線に示すように球検出器１３の上面１３ａを基準として、その基準面から７．４ｍｍ下がった位置が球検出状態となる位置ａであり、それより更に２．７ｍｍ下がった位置が球非検出状態となる位置ｂであって、パチンコ球Ｂの検出と共に該パチンコ球Ｂのそれぞれの位置ａ，ｂをも検出できるようになっている。そして、前記位置ａ〜位置ｂまでの間が球検出範囲にあたる。すなわち、球検出器１３によりパチンコ球Ｂの検出と球受部材１５の原点検出を併せ行なうことができるようになっている。
【００２６】
前記ケース本体１０における右・左半割体１０ａ，１０ｂの必要個所に螺子挿通孔２０や螺子孔２１が設けられ、右・左半割体１０ａ，１０ｂを合わせ螺子挿通孔２０を介して各螺子孔２１に各螺子２２を螺締めすることにより、右・左半割体１０ａ，１０ｂが組み合わされる。同様にステッピングモータ１７にも前面両側に螺子挿通孔２０，２０が設けられると共に、右・左半割体１０ａ，１０ｂ側にこれらに対応して螺子孔２１，２１が設けられている。そして、各螺子挿通孔２０を介して各螺子孔２１に螺子２２を螺締めすることによりステッピングモータ１７が取り付けられる。
【００２７】
次に、図３乃至図５に基づき作用を説明する。まず、図３、図４（イ）に示すようにステッピングモータ１７が停止しているときは、球受部材１５の一番目の球受片１６ａが回転円板１５ｂの上端に位置すると共に球通路１１内に位置している。この状態で、球流通樋１０７である流通管１内を螺旋突条８に沿って回転しつつ連続して流下するパチンコ球Ｂが球通路１１内に流入することになるが、球入口１２ａから球通路１１内へは最先のパチンコ球Ｂ１が一個入り、前記一番目の球受片１６ａの先端に受け止められる。この際、前記最先のパチンコ球Ｂ１は球通路１１における上半部１１ａに位置する球検出器１３の検出孔２３の内周面２３ａにもたれかかりながら球受片１６ａの先端で受け止められている。
【００２８】
この状態で、例えば入賞球が発生し、賞球として規定量のパチンコ球Ｂの払出命令が出されると、図４（ロ）に示すようにステッピングモータ１７が駆動して球受部材１５を同図（ロ）の矢視方向へ６０度回転させる。これにより、それまで受け止められていた最先のパチンコ球Ｂ１が、支持を失って一番目と二番目の球受片１６ａ，１６ｂの間隔ｗの間から自重で落下する。同時に、続く第二番目のパチンコ球Ｂ２が球通路１１内に入ると共に球検出器１３内に入る。これに伴い、二番目のパチンコ球Ｂ２が球検出器１３により検出されると共に二番目のパチンコ球Ｂ２が流下して球検出状態となる位置ａ及びその下方の球非検出状態となる位置ｂで検出され、そのまま下方へ自然に落下する。このようにして、球検出器１３を通過するパチンコ球Ｂが検出されながら規定量のパチンコ球Ｂが払い出される。
【００２９】
そして、払い出されるパチンコ球Ｂが規定量に達し、最後のパチンコ球Ｂが球検出器１３を通過する。それ以後は規定量外のパチンコ球Ｂとなるが、図４（ハ）に示すように規定量外のパチンコ球Ｂのうちの最先のパチンコ球Ｂｎが球検出器１３に入る。このとき、該パチンコ球Ｂｎが球検出状態となる位置ａと球非検出状態となる位置ｂとでそれぞれ検出され、その間にステッピングモータ１７が作動して図４（ニ）に示すように球受部材１５が更に時計回り方向へ６０度回転する。これにより、二番目の球受片１６ｂが最も高い位置に来て規定量外の最先のパチンコ球Ｂｎを受け止める。
【００３０】
本発明にあっては、球受部材１５をステッピングモータ１７により回転させるようにしたが、構造を変えソレノイドを使って球受部材を進退動させ、該球受部材を水平面内で往復動させることによりパチンコ球を受け止めるようにしても良い。
【００３１】
このように、球通路１１に流入するパチンコ球Ｂを検出しつつ自然に落下させて排出することになる。規定量のパチンコ球Ｂを自然に落下させて排出するようにしているので、多くのパチンコ球Ｂを一度に払い出すのに都合が良い高速の払出しが可能となる。例えば、本発明の球払出装置１０８によれば、一分間に１０００〜１５００個のパチンコ球Ｂを払い出すことができる。
【００３２】
また、図５（ロ）実線に示すように球受部材１５における球受片１６ａ〜１６ｃにより規定量外のパチンコ球Ｂのうちの最先のパチンコ球Ｂｎを受け止めたとき、その受け止めた先端位置Ｆがそのパチンコ球Ｂｎの球中心Ｏ２を通り球受部材１５の回転方向と直交する面内で該パチンコ球Ｂｎの球中心Ｏ２からずれている。このため、球受片１６ａ〜１６ｃは必ず上下方向でパチンコ球Ｂｎの球中心Ｏ２よりもずれた下方位置で接触しパチンコ球Ｂｎを受け止めることになる。よって、パチンコ球Ｂｎが球受部材１５の球受片１６ａ〜１６ｃと球通路１１の内周面との間で挟まれる所謂球噛みが防止される。
【００３３】
更に、球受部材１５に加わるパチンコ球Ｂｎの球圧の方向と該球受部材１５の回転方向とはパチンコ球Ｂｎの球中心Ｏ２を通り球受部材１５の回転方向と直交する面内で互いに直交することから、仮にパチンコ球Ｂｎからの球圧が球受部材１５に加わったとしても、球受部材１５を回転させようとする力が生じない。このため、球圧により誤って規定量以上のパチンコ球Ｂを払い出すという誤動作がなくなり、ホールにおけるパチンコ球Ｂの管理が行ない易い。
【００３４】
更にまた、球払出装置１０８はその構成部品が、二分割されるケース本体１０、球検出器１３、球受部材１５及びステッピングモータ１７という５点と少なく、該球払出装置１０８の組立てが簡単であるばかりか、製作費用も低廉になし得る。球受部として球受片１６ａ〜１６ｃを示したが、これに限定されるものではない。
【符号の説明】
【００３５】
１１                球通路
１３                球検出器
１５                球受部材
１７                電動アクチュエータ（ステッピングモータ）
１０８              球払出装置
Ｂ                  遊技球（パチンコ球）
Ｂ１                遊技球（パチンコ球）
Ｂ２                遊技球（パチンコ球）
Ｂｎ                遊技球（パチンコ球）
Ｏ１                回転中心
Ｏ２                球中心
【図１】
2013102821.tif 000003
【図２】
2013102821.tif 000004
【図３】
2013102821.tif 000005
【図４】
2013102821.tif 000006
【図５】
2013102821.tif 000007
【図６】
2013102821.tif 000008
【図７】
2013102821.tif 000009
【図８】
2013102821.tif 000010
【図９】
2013102821.tif 000011
【図１０】
2013102821.tif 000012